(57)【特許請求の範囲】
【請求項１】
デジタルデータを利用した出力サービスを金銭の徴収に応じて行うデジタルデータ利用出力サービスシステムであって、
前記出力サービスの要求の受付及び処理制御並びに前記出力サービスに応じた金銭徴収制御を行う受付制御装置と、
前記受付制御装置で受付けた前記要求に基づく処理結果を、前記受付制御装置の出力指示に基づいて出力する処理結果出力装置と、
前記受付制御装置の制御により金銭の徴収を行う金銭徴収装置とを有し、
前記受付制御装置は、前記金銭徴収装置の受入れた金額に拘わらず複数のデジタルデータに基づく出力サービスの要求を受付可能であり、前記処理結果の出力指示を前記処理結果出力装置に送信するに際して、受付けた前記出力サービスの要求と前記金銭徴収装置の受入れ可能な上限金額に基づいて決定した金額の金銭を前記金銭徴収装置に投入すべきことを要求し、前記金銭徴収装置が受入れた金額に応じた分の前記デジタルデータ単位の前記処理結果毎に、分割して送信可能であるデジタルデータ利用出力サービスシステム。
【請求項２】
請求項１記載のデジタルデータ利用出力サービスシステムであって、
前記受付制御装置は、前記処理結果の出力指示を前記処理結果出力装置に分割して送信した場合、送信済の出力指示に基づく処理結果出力を前記処理結果出力装置が終了後に、前記金銭徴収装置への残りの金銭の投入を要求するものであるデジタルデータ利用出力サービスシステム。
【請求項３】
請求項１記載のデジタルデータ利用出力サービスシステムであって、
前記受付制御装置は、前記処理結果の出力指示を前記処理結果出力装置に分割して送信した場合、前記金銭徴収装置が金銭受け入れ可能な状態のときに、前記金銭徴収装置への残りの金銭の投入を要求するものであるデジタルデータ利用出力サービスシステム。
【請求項４】
請求項１ないし３のいずれか１項記載のデジタルデータ利用出力サービスシステムであって、
前記受付制御装置は、前記金銭徴収装置が受入れた金額が、前記受付制御装置で受付けた前記要求の全てに対応する金額以上、又は前記金銭徴収装置が受入れ可能な金額に基づく所定の金額以上の金額である場合に、前記処理結果の出力指示を前記処理結果出力装置に送信するものであるデジタルデータ利用出力サービスシステム。
【請求項５】
請求項１ないし３のいずれか１項記載のデジタルデータ利用出力サービスシステムであって、
前記受付制御装置は、前記金銭徴収装置が受入れた金額が、前記処理結果の出力指示を分割して送信可能な金額以上である場合に、前記処理結果の出力指示を前記処理結果出力装置に送信するものであるデジタルデータ利用出力サービスシステム。
【請求項６】
請求項１ないし３のいずれか１項記載のデジタルデータ利用出力サービスシステムであって、
前記受付制御装置は、前記金銭徴収装置が受入れた金額が、前記処理結果の出力指示を分割して送信可能な金額以上であって、かつユーザからの前記処理結果の分割出力要求があった場合に、前記処理結果の出力指示を前記処理結果出力装置に送信するものであるデジタルデータ利用出力サービスシステム。
【請求項７】
請求項１ないし６のいずれか１項記載のデジタルデータ利用出力サービスシステムであって、
前記受付制御装置は、通信回線を介してサーバ装置と接続されており、
前記出力サービスは、前記サーバ装置から送信されるデジタルデータを利用するものであるデジタルデータ利用出力サービスシステム。
【請求項８】
請求項１ないし６のいずれか１項記載のデジタルデータ利用出力サービスシステムであって、
前記受付制御装置は、可搬型記録媒体に記録されたデジタルデータの読取りが可能であり、
前記出力サービスは、前記記録媒体に記録されたデジタルデータを利用するものであるデジタルデータ利用出力サービスシステム。
【請求項９】
請求項７又は８記載のデジタルデータ利用出力サービスシステムであって、
前記処理結果出力装置は、印刷装置であり、
前記デジタルデータは、画像データであるデジタルデータ利用出力サービスシステム。
【請求項１０】
請求項７又は８記載のデジタルデータ利用出力サービスシステムであって、
前記処理結果出力装置は、可搬型記録媒体への書込装置であり、
前記デジタルデータは、画像データ及び音楽データの少なくとも１つを含むものであるデジタルデータ利用出力サービスシステム。
【請求項１１】
請求項７記載のデジタルデータ利用出力サービスシステムであって、
前記処理結果出力装置は、印刷装置であり、
前記デジタルデータは、文字データを含むデジタルデータ利用出力サービスシステム。
【請求項１２】
請求項７記載のデジタルデータ利用出力サービスシステムであって、
前記処理結果出力装置は、可搬型記録媒体への書込装置であり、
前記デジタルデータは、文字データを含むデジタルデータ利用出力サービスシステム。
【請求項１３】
請求項１ないし１２のいずれか１項記載のデジタルデータ利用出力サービスシステムであって、
前記金銭徴収装置は、硬貨のみを取り扱うものであるデジタルデータ利用出力サービスシステム。
【請求項１４】
請求項１ないし１２のいずれか１項記載のデジタルデータ利用出力サービスシステムであって、
前記金銭徴収装置は、紙幣及び硬貨の両方を取り扱うものであるデジタルデータ利用出力サービスシステム。
【請求項１５】
請求項１ないし１４のいずれか１項記載のデジタルデータ利用出力サービスシステムであって、
前記受付制御装置及び前記金銭徴収装置が、一体に構成されるデジタルデータ利用出力サービスシステム。
【請求項１６】
請求項１ないし１４のいずれか１項記載のデジタルデータ利用出力サービスシステムであって、
前記受付制御装置及び前記処理結果出力装置が、一体に構成されるデジタルデータ利用出力サービスシステム。
【請求項１７】
請求項１ないし１４のいずれか１項記載のデジタルデータ利用出力サービスシステムであって、
前記受付制御装置、前記金銭徴収装置、及び前記処理結果出力装置が、一体に構成されるデジタルデータ利用出力サービスシステム。
【請求項１８】
デジタルデータを利用した出力サービスを、受付制御装置、金銭徴収装置、及び処理結果出力装置を用いて行うデジタルデータ利用出力サービス方法であって、
前記受付制御装置が行う、
前記出力サービスの要求の受付を行う受付ステップと、
前記受付けた要求の処理制御を行う要求処理ステップと、
前記出力サービスに応じて、金銭の徴収を行う前記金銭徴収装置の金銭徴収制御を行う金銭徴収ステップとを有し、
前記金銭徴収ステップは、前記金銭徴収装置の受入れ金額情報を取得するステップを含み、
前記受付ステップは、前記金銭徴収装置の受入れた金額に拘わらず前記出力サービスの要求の受付を行うものであり、
前記要求処理ステップは、受付けた前記出力サービスの要求と前記金銭徴収装置の受入れ可能な上限金額に基づいて決定した金額の金銭を前記金銭徴収装置に投入すべきことを要求するステップと、前記要求に基づく処理結果の出力指示を、前記受入れ金額情報に応じた分の前記デジタルデータ単位の前記処理結果毎に分割して、前記処理結果出力装置に送信する出力指示送信ステップを含むデジタルデータ利用出力サービス方法。
【請求項１９】
請求項１８記載のデジタルデータ利用出力サービス方法であって、
前記要求処理ステップは、前記処理結果の出力指示を前記処理結果出力装置に分割して送信した場合、送信済の出力指示に基づく処理結果出力を前記処理結果出力装置が終了後に、前記金銭徴収装置への残りの金銭の投入を要求するステップを含むデジタルデータ利用出力サービス方法。
【請求項２０】
請求項１８記載のデジタルデータ利用出力サービス方法であって、
前記要求処理ステップは、前記処理結果の出力指示を前記処理結果出力装置に分割して送信した場合、前記金銭徴収装置が金銭受け入れ可能な状態のときに、前記金銭徴収装置への残りの金銭の投入を要求するステップを含むデジタルデータ利用出力サービス方法。
【請求項２１】
請求項１８ないし２０のいずれか１項記載のデジタルデータ利用出力サービス方法であって、
前記出力指示送信ステップは、前記金銭徴収装置が受入れた金額が、前記受付制御装置で受付けた前記要求の全てに対応する金額以上、又は前記金銭徴収装置が受入れ可能な金額に基づく所定の金額以上の金額である場合に、前記処理結果の出力指示を前記処理結果出力装置に送信するものであるデジタルデータ利用出力サービス方法。
【請求項２２】
請求項１８ないし２０のいずれか１項記載のデジタルデータ利用出力サービス方法であって、
前記出力指示送信ステップは、前記金銭徴収装置が受入れた金額が、前記処理結果の出力指示を分割して送信可能な金額以上である場合に、前記処理結果の出力指示を前記処理結果出力装置に送信するものであるデジタルデータ利用出力サービス方法。
【請求項２３】
請求項１８ないし２０のいずれか１項記載のデジタルデータ利用出力サービス方法であって、
前記出力指示送信ステップは、前記金銭徴収装置が受入れた金額が、前記処理結果の出力指示を分割して送信可能な金額以上であって、かつユーザからの前記処理結果の分割出力要求があった場合に、前記処理結果の出力指示を前記処理結果出力装置に送信するものであるデジタルデータ利用出力サービス方法。
【請求項２４】
請求項１８ないし２３のいずれか１項記載のデジタルデータ利用出力サービス方法であって、
さらに、サーバ装置から通信回線を介して送信されるデジタルデータを受信するステップを有し、
前記要求処理ステップは、前記受信したデジタルデータを利用するものであるデジタルデータ利用出力サービス方法。
【請求項２５】
請求項１８ないし２３のいずれか１項記載のデジタルデータ利用出力サービス方法であって、
さらに、可搬型記録媒体に記録されたデジタルデータを読取るステップを有し、
前記要求処理ステップは、前記読取られたデジタルデータを利用するものであるデジタルデータ利用出力サービス方法。
【請求項２６】
請求項２４又は２５記載のデジタルデータ利用出力サービス方法であって、
前記処理結果出力装置は、印刷装置であり、
前記デジタルデータは、画像データであるデジタルデータ利用出力サービス方法。
【請求項２７】
請求項２４又は２５記載のデジタルデータ利用出力サービス方法であって、
前記処理結果出力装置は、可搬型記録媒体への書込装置であり、
前記デジタルデータは、画像データ及び音楽データの少なくとも１つを含むものであるデジタルデータ利用出力サービス方法。
【請求項２８】
請求項２４記載のデジタルデータ利用出力サービス方法であって、
前記処理結果出力装置は、印刷装置であり、
前記デジタルデータは、文字データを含むデジタルデータ利用出力サービス方法。
【請求項２９】
請求項２４記載のデジタルデータ利用出力サービス方法であって、
前記処理結果出力装置は、可搬型記録媒体への書込装置であり、
前記デジタルデータは、文字データを含むデジタルデータ利用出力サービス方法。
【請求項３０】
請求項１８ないし２９のいずれか１項記載のデジタルデータ利用出力サービス方法であって、
前記金銭徴収装置は、硬貨のみを取り扱うものであるデジタルデータ利用出力サービス方法。
【請求項３１】
請求項１８ないし２９のいずれか１項記載のデジタルデータ利用出力サービス方法であって、
前記金銭徴収装置は、紙幣及び硬貨の両方を取り扱うものであるデジタルデータ利用出力サービス方法。
【請求項３２】
コンピュータに、請求項１ないし１７のいずれか１項記載のデジタルデータ利用出力サービスシステムにおける前記受付制御装置の、前記出力サービスの要求の受付及び処理制御並びに前記出力サービスに応じた金銭徴収制御を行う機能を実現させるためのプログラム。
【請求項３３】
コンピュータに、請求項１８ないし３１のいずれか１項記載の前記受付制御装置が行う各ステップを実行させるためのプログラム。
【発明の詳細な説明】
【０００１】
【発明の属する技術分野】
本発明は、デジタルデータを利用した出力サービスを金銭の徴収に応じて行うデジタルデータ利用出力サービスシステム、サービス方法、及びサービスシステム又はサービス方法を実現するためのプログラムに関する。
【０００２】
【従来の技術】
デジタルデータを利用した出力サービスを、コインキットなどの金銭徴収装置と連動させることにより、セルフ化させたシステムが普及しつつある。このようなシステムとして、例えば、ユーザがデジタルカメラで撮影した画像データを、加工又は編集してプリントするようなサービスがある。これは、ユーザがコインキットに硬貨を投入して、デジタルカメラで撮影し記録媒体に保存した画像データに基づく画像、又は適宜加工又は編集などを施した画像をプリンタに印刷させるものである。プリントサービスシステムとしては、サーバ装置に保持したタレントの画像データを利用したものもある。また、画像データを利用したサービスは、印刷出力だけでなく、ユーザの所持する可班型記録媒体に出力することも可能となっている。
【０００３】
また、デジタルデータとして音楽データを用いたシステムも公知であり、その場合、音楽出力は、ユーザの所持する可班型記録媒体に出力される。出力サービスに利用される音楽データとしてサーバ装置に保持したものを用いる音楽配信サービス、ユーザの所持する記録媒体に記憶された音楽データを、加工又は編集する編集サービスが可能である。
【０００４】
さらに、チケット購入サービスも公知である。この場合、購入チケットの内容を示す文字データが、サーバ装置から送信され、チケット印刷に利用される。チケット情報は、ＩＣカード、携帯電話機などの記録媒体に出力することも可能である。
【０００５】
そして、このような出力サービスをセルフ化したシステムは、注文処理が終了後、金銭徴収装置に注文に応じた金銭が投入されたことを確認してプリント処理を開始するようになっている。
【０００６】
一方、コインキットなどの金銭徴収装置は、出力サービスなどの処理を行う毎に、その出力に応じた金額の金銭の徴収制御が行われる。例えば、コインキットの場合、ユーザがコインキットに硬貨を投入すると、その硬貨は、すぐに金庫には誘導されず、硬貨を一時的に蓄積するコインチューブに蓄積される。そして、出力サービスなどの一定の出力処理が終了した時点で、その処理分の金額の硬貨が金庫へ誘導される仕組みになっている。そして、コインチューブのコイン蓄積量があるためコインキットに投入金額に制限があるように、一般に、金銭徴収装置には受入れ量が制限されている。
【０００７】
【発明が解決しようとする課題】
しかし、画像データ、音楽データなどを利用した出力サービスは、複数のデジタルデータに基づき、複数の出力を行う場合が多くなっている。例えば、デジタルカメラで撮影した画像データのプリント注文は、複数の画像データに基づく複数のプリント注文が同時に行われるようになっている。したがって、このような出力サービスに対して、高額の金銭を支払う場合が多くなり、金銭徴収装置の受入れ量に上限を超える出力サービスの要求時には何らかの措置を講じる必要がある。
【０００８】
金銭徴収の上限金額に収まる金額になるように出力サービス量を制限する方法が考えられるが、出力サービス量を制限すると、ユーザにとって複数回の注文操作が必要になり、操作性がよくない。さらに、このコインキットなどの金銭徴収装置の上限を増やすことが考えられるが、上限を増やすことは装置の大型化につながってしまい、コスト上及び設置上好ましくない。
【０００９】
本発明は、上記従来の問題点を解決するためのものであり、金銭徴収装置の受入れ上限金額以上のサービスを、一度の注文で可能にするデジタルデータ出力サービスシステム、サービス方法、及びサービスシステム又はサービス方法を実現するためのプログラムを提供することを目的とする。
【００１０】
【課題を解決するための手段】
本発明のデジタルデータ利用出力サービスシステムは、デジタルデータを利用した出力サービスを金銭の徴収に応じて行うものであって、前記出力サービスの要求の受付及び処理制御並びに前記出力サービスに応じた金銭徴収制御を行う受付制御装置と、前記受付制御装置で受付けた前記要求に基づく処理結果を、前記受付制御装置の出力指示に基づいて出力する処理結果出力装置と、前記受付制御装置の制御により金銭の徴収を行う金銭徴収装置とを有し、前記受付制御装置は、前記金銭徴収装置の受入れた金額に拘わらず複数のデジタルデータに基づく出力サービスの要求を受付可能であり、前記処理結果の出力指示を前記処理結果出力装置に送信するに際して、受付けた前記出力サービスの要求と前記金銭徴収装置の受入れ可能な上限金額に基づいて決定した金額の金銭を前記金銭徴収装置に投入すべきことを要求し、前記金銭徴収装置が受入れた金額に応じた分の前記デジタルデータ単位の前記処理結果毎に、分割して送信可能なものである。
【００１１】
本発明のデジタルデータ利用出力サービスシステムにおける前記受付制御装置は、前記処理結果の出力指示を前記処理結果出力装置に分割して送信した場合、送信済の出力指示に基づく処理結果出力を前記処理結果出力装置が終了後に、前記金銭徴収装置への残りの金銭の投入を要求するものである。あるいは、前記処理結果の出力指示を前記処理結果出力装置に分割して送信した場合、前記金銭徴収装置が金銭受け入れ可能な状態のときに、前記金銭徴収装置への残りの金銭の投入を要求するものである。
【００１２】
本発明のデジタルデータ利用出力サービスシステムにおける前記受付制御装置は、前記金銭徴収装置が受入れた金額が、前記受付制御装置で受付けた前記要求の全てに対応する金額以上、又は前記金銭徴収装置が受入れ可能な金額に基づく所定の金額以上の金額である場合に、前記処理結果の出力指示を前記処理結果出力装置に送信するものである。あるいは、前記金銭徴収装置が受入れた金額が、前記処理結果の出力指示を分割して送信可能な金額以上である場合に、前記処理結果の出力指示を前記処理結果出力装置に送信するものである。またあるいは、前記金銭徴収装置が受入れた金額が、前記処理結果の出力指示を分割して送信可能な金額以上であって、かつユーザからの前記処理結果の分割出力要求があった場合に、前記処理結果の出力指示を前記処理結果出力装置に送信するものである。
【００１３】
本発明のデジタルデータ利用出力サービスシステムにおける前記受付制御装置は、通信回線を介してサーバ装置と接続されており、前記出力サービスは、前記サーバ装置から送信されるデジタルデータを利用するものである。
【００１４】
本発明のデジタルデータ利用出力サービスシステムにおける前記受付制御装置は、可搬型記録媒体に記録されたデジタルデータの読取りが可能であり、前記出力サービスは、前記記録媒体に記録されたデジタルデータを利用するものである。
【００１５】
本発明のデジタルデータ利用出力サービスシステムにおける前記処理結果出力装置は、印刷装置であり、前記デジタルデータとして画像データを使用するものである。
【００１６】
本発明のデジタルデータ利用出力サービスシステムにおける前記処理結果出力装置は、可搬型記録媒体への書込装置であり、前記デジタルデータとして画像データ及び音楽データの少なくとも１つを利用するものである。
【００１７】
本発明のデジタルデータ利用出力サービスシステムにおける前記処理結果出力装置は、印刷装置であり、前記デジタルデータとして文字データを含むデジタルデータを利用するものである。
【００１８】
本発明のデジタルデータ利用出力サービスシステムにおける前記処理結果出力装置は、可搬型記録媒体への書込装置であり、前記デジタルデータとして文字データを含むデジタルデータを利用するものである。
【００１９】
本発明のデジタルデータ利用出力サービスシステムにおける前記金銭徴収装置としては、硬貨のみを取り扱うもの、あるいは、紙幣及び硬貨の両方を取り扱うものを用いる。
【００２０】
本発明のデジタルデータ利用出力サービスシステムにおける前記受付制御装置及び前記金銭徴収装置は一体に構成されるものである。
【００２１】
本発明のデジタルデータ利用出力サービスシステムにおける前記受付制御装置、及び前記処理結果出力装置は一体に構成されるものである。
【００２２】
本発明のデジタルデータ利用出力サービスシステムにおける前記受付制御装置、前記金銭徴収装置、及び前記処理結果出力装置は一体に構成されるものである。
【００２３】
本発明のデジタルデータ利用出力サービス方法は、デジタルデータを利用した出力サービスを、受付制御装置、金銭徴収装置、及び処理結果出力装置を用いて行うものであって、前記受付制御装置が行う、前記出力サービスの要求の受付を行う受付ステップと、前記受付けた要求の処理制御を行う要求処理ステップと、前記出力サービスに応じて、金銭の徴収を行う前記金銭徴収装置の金銭徴収制御を行う金銭徴収ステップとを有し、前記金銭徴収ステップは、前記金銭徴収装置の受入れ金額情報を取得するステップを含み、前記受付ステップは、前記金銭徴収装置の受入れた金額に拘わらず前記出力サービスの要求の受付を行うものであり、前記要求処理ステップは、受付けた前記出力サービスの要求と前記金銭徴収装置の受入れ可能な上限金額に基づいて決定した金額の金銭を前記金銭徴収装置に投入すべきことを要求するステップと、前記要求に基づく処理結果の出力指示を、前記受入れ金額情報に応じた分の前記デジタルデータ単位の前記処理結果毎に分割して、前記処理結果出力装置に送信する出力指示送信ステップを含むものである。
【００２４】
本発明のデジタルデータ利用出力サービス方法における前記要求処理ステップは、前記処理結果の出力指示を前記処理結果出力装置に分割して送信した場合、送信済の出力指示に基づく処理結果出力を前記処理結果出力装置が終了後に、前記金銭徴収装置への残りの金銭の投入を要求するステップを含むものである。
【００２５】
本発明のデジタルデータ利用出力サービス方法における前記要求処理ステップは、前記処理結果の出力指示を前記処理結果出力装置に分割して送信した場合、前記金銭徴収装置が金銭受け入れ可能な状態のときに、前記金銭徴収装置への残りの金銭の投入を要求するステップを含むものである。
【００２６】
本発明のデジタルデータ利用出力サービス方法における前記出力指示送信ステップは、前記金銭徴収装置が受入れた金額が、前記受付制御装置で受付けた前記要求の全てに対応する金額以上、又は前記金銭徴収装置が受入れ可能な金額に基づく所定の金額以上の金額である場合に、前記処理結果の出力指示を前記処理結果出力装置に送信するものである。
【００２７】
本発明のデジタルデータ利用出力サービス方法における前記出力指示送信ステップは、前記金銭徴収装置が受入れた金額が、前記処理結果の出力指示を分割して送信可能な金額以上である場合に、前記処理結果の出力指示を前記処理結果出力装置に送信するものである。
【００２８】
本発明のデジタルデータ利用出力サービス方法における前記出力指示送信ステップは、前記金銭徴収装置が受入れた金額が、前記処理結果の出力指示を分割して送信可能な金額以上であって、かつユーザからの前記処理結果の分割出力要求があった場合に、前記処理結果の出力指示を前記処理結果出力装置に送信するものである。
【００２９】
本発明のデジタルデータ利用出力サービス方法は、さらに、サーバ装置から通信回線を介して送信されるデジタルデータを受信するステップを有し、前記要求処理ステップは、前記受信したデジタルデータを利用するものである。
【００３０】
本発明のデジタルデータ利用出力サービス方法は、さらに、可搬型記録媒体に記録されたデジタルデータを読取るステップを有し、前記要求処理ステップは、前記読取られたデジタルデータを利用するものである。
【００３１】
本発明のデジタルデータ利用出力サービス方法における出力指示送信ステップが前記要求に基づく処理結果の出力指示を送信する前記処理結果出力装置は、印刷装置であり、前記デジタルデータは、画像データである。。
【００３２】
本発明のデジタルデータ利用出力サービス方法における出力指示送信ステップが前記要求に基づく処理結果の出力指示を送信する前記処理結果出力装置は、可搬型記録媒体への書込装置であり、前記デジタルデータは、画像データ及び音楽データの少なくとも１つを含むものである。
【００３３】
本発明のデジタルデータ利用出力サービス方法における出力指示送信ステップが前記要求に基づく処理結果の出力指示を送信する前記処理結果出力装置は、印刷装置であり、前記デジタルデータは、文字データを含むものである。
【００３４】
本発明のデジタルデータ利用出力サービス方法における出力指示送信ステップが前記要求に基づく処理結果の出力指示を送信する前記処理結果出力装置は、可搬型記録媒体への書込装置であり、前記デジタルデータは、文字データを含むものである。
【００３５】
本発明のデジタルデータ利用出力サービス方法における前記金銭徴収ステップによって制御される前記金銭徴収装置は、硬貨のみを取り扱うものである。
【００３６】
本発明のデジタルデータ利用出力サービス方法における前記金銭徴収ステップによって制御される前記金銭徴収装置は、紙幣及び硬貨の両方を取り扱うものである。
【００３７】
本発明のプログラムは、コンピュータに、前記デジタルデータ利用出力サービスシステムにおける前記受付制御装置の、前記出力サービスの要求の受付及び処理制御並びに前記出力サービスに応じた金銭徴収制御を行う機能を実現させるためのものプログラムである。
【００３８】
本発明のプログラムは、コンピュータに、前記デジタルデータ利用出力サービス方法における各ステップを実行させるためのプログラムである。
【００３９】
【発明の実施の形態】
以下、本発明の実施の形態について図面を参照して説明する。
【００４０】
（実施形態１）
図１は、本発明の実施形態１に係るデジタル画像出力システム１００の概略構成を示す図である。デジタル画像出力システム１００は、注文受付部１０１、コピー機１０３、コインキット１０４を含んで構成され、画像データに基づくプリント出力サービスを行うものである。図１のシステム１００は、コンビニエンスストアなどの店舗に設置されるもので、コピー機１０３とコインキット１０４は、コピーサービスに利用されるものを兼用する。
【００４１】
注文受付部１０１は、制御部１０５、メディア挿入部１０６、ディスプレイ１０７、操作ボタン部１０８を含み、画像データを利用した出力サービスの要求の受付及び処理制御並びに出力サービスに応じた金銭徴収制御を行うものであり、多機能取引端末などを利用することができる。メディア挿入部１０６には、ユーザが所持しているデジタル画像データが記録されたメディア（フレキシブルディスク、ＭＯ（光磁気ディスク）、メモリーカード、又はＣＤ−Ｒ（Compact Disc Recordable）などの記録媒体）が挿入され、挿入されたメディアからデジタル画像データを読み出すものである。ディスプレイ１０７は、ユーザのメディアに保存された画像を選択させるための画像選択指示、代金要求指示などの指示を表示するものであり、操作ボタン部１０８は、画像選択、加工、編集などの出力サービス要求を入力するためのものである。また、制御部１０５は、注文受付部１０１全体の制御を行うとともに、コピー機１０３及びコインキット１０４に対して所定の制御信号を出力するものであり、所定のプログラムによって動作するプロセッサを主体に構成される。
【００４２】
コピー機１０３は、デジタル画像データに基づく画像の印刷を行うものであり、コインキット１０４は、硬貨が投入され、コピーに必要な料金を徴収するものである。コピー機１０３とコインキット１０４は、注文受付部１０１に接続され、注文受付部１０１の指示により、印刷処理及び料金徴収処理を行う。図１の例では、コピー機１０３及びコインキット１０４をコピーサービス機器と兼用しているが、専用のプリンタ及び硬貨だけでなく紙幣も利用可能な金銭徴収装置を利用してもよい。
【００４３】
次に、本実施形態のデジタル画像出力システム１００の動作について、図２のフローチャートを参照して説明する。まず、ユーザがデジタルカメラで撮影した画像を記録したメディアを、デジタル画像出力システム１００の注文受付部１０２のメディア挿入部１０６に挿入し、操作ボタン部１０８で自分の欲しい複数の画像を選択、加工、又は編集操作を行うことにより、印刷すべきデジタル画像が決定される（Ｓ２００）。制御部１０５は選択されたデジタル画像の印刷に必要な金額の合計を算出し（Ｓ２０１）、コインキット１０４の受入れ可能な上限金額を検出する（Ｓ２０２）。ここで、デジタル画像１枚分の印刷代金を３００円、前記上限金額を３２００円として話を進める。
【００４４】
算出した合計金額が、コインキット１０４の上限金額よりも少ない場合（Ｓ２０３：ＮＯ）、ディスプレイ１０７に図３に示すような表示をさせ、ユーザに必要な金額の硬貨の投入を要求する（Ｓ２０４）。その後、コインキット１０４に要求した金額以上の硬貨が投入されたことを検出すると（Ｓ２０５）、決定されたデジタル画像の印刷命令をコピー機１０３に送信し（Ｓ２０６）、印刷が開始され、全てのデジタル画像の印刷が終了する。要求した金額以上の硬貨がコインキット１０４に投入されている場合、印刷終了後返却する。
【００４５】
算出した合計金額が、コインキット１０４の上限金額を超えている場合（Ｓ２０３：ＹＥＳ）、ディスプレイ１０７に図４に示すような表示をさせ、前記上限金額（３２００円）内で印刷可能な画像の代金３０００円（３００円×１０枚）の硬貨の投入をユーザに要求する（Ｓ２０７）。
【００４６】
コインキット１０４に３０００円以上の硬貨が投入されたことを検出すると（Ｓ２０８）、３０００円分のデジタル画像の印刷命令をコピー機１０３に送信し（Ｓ２０９）、印刷が開始される。印刷が行われると、完了枚数に応じて所定のタイミングでコインキット１０４は所定量の硬貨を回収する。
【００４７】
印刷動作中、制御部１０５は、コインキット１０４の容量に空きがある（コインの投入が可能）かどうかを確認し（Ｓ２１０）、空きがあることを検知すると（Ｓ２１０：ＹＥＳ）、ディスプレイ１０７に図５に示すような表示をさせ、残りの金額の硬貨の投入を要求し（Ｓ２１１）、少なくとも印刷１枚分の代金３００円がコインキット１０４に投入されると（Ｓ２１２）、支払われた代金分のデジタル画像の印刷命令をコピー機１０３に送信し（Ｓ２１３）、印刷が行われる。さらに、残りの印刷すべき画像があるかどうかを確認し、ある場合（Ｓ２１４：ＹＥＳ）はＳ２１０の動作へ戻り、残りの注文画像がなくなるまでＳ２１０からＳ２１４までの動作を繰り返す。そして、注文された全てのデジタル画像の出力命令が終了し、その後、印刷が終了する。この場合も、要求した金額以上の硬貨がコインキット１０４に投入されている場合、印刷終了後返却する。
【００４８】
コインキット１０４は、構造によっては、一定の印刷出力が終了して硬貨を回収中（コインチューブから金庫に誘導中）に、新たに硬貨を投入すると、金銭の徴収処理にエラーが発生することがある。図６は、このエラーを避けるため、制御部１０５の機能を一部変更したデジタル画像出力システム１００の動作を示すフローチャートであり、基本的に、印刷動作中は、コインキット１０４へ硬貨の投入を禁止するようにしたものである。
【００４９】
図６のフローにおいて、Ｓ６００からＳ６０９は、図２のＳ２００からＳ２０９と同様であるので、説明を省略する。Ｓ６０９で印刷命令をコピー機１０３に送信し、印刷を開始した後、制御部１０５はコインキット１０４への硬貨の投入を禁止させる命令を送信し（Ｓ６１０）、コインキット１０４は硬貨投入禁止状態となる。３０００円分のデジタル画像の印刷が全て終了すると、コインキット１０４の硬貨投入禁止状態を解除する命令を送信し（Ｓ６１１）、残りの印刷すべきデジタル画像の合計金額がコインキット１０４の上限を超えるかどうか調べる（Ｓ６１２）。
【００５０】
印刷すべきデジタル画像の合計金額が４５００円であった場合、残額は１５００円となるため上限（３２００円）は超えないが、例えば、最初の合計金額が７０００円だったとすると、残額は４０００円となり、再び上限を超えることになる（Ｓ６１２：ＹＥＳ）。このときは、動作をＳ６０７へ戻し、残額が上限を超えなくなるまでＳ６０７からＳ６１２の動作を繰り返す。
【００５１】
残額が上限を超えない場合は、図７に示すような表示をディスプレイ１０７に表示させ、１５００円を要求する（Ｓ６１３）。コインキット１０４に１５００円以上の硬貨が投入されたことを検出すると（Ｓ６１４）、残りのデジタル画像の印刷命令をコピー機１０３へ送信し（Ｓ６１５）、残りのデジタル画像の印刷が開始され、全ての印刷が終了する。要求した金額以上の硬貨がコインキット１０４に投入されている場合、印刷終了後返却する。
【００５２】
図１のシステムは、コインキット１０４に一定量の硬貨が投入された場合に利用開始可能としてもよい。図８は、その場合のデジタル画像出力システム１００の動作を示すフローチャートである。まず、ユーザが一定量の硬貨をコインキット１０４に投入すると（Ｓ８００）利用開始可能となり、操作ボタン部１０８で選択、加工、又は編集操作を行うことにより、印刷すべきデジタル画像が決定される（Ｓ８０１）。制御部１０５は選択された画像の印刷に必要な合計金額を算出し（Ｓ８０２）、Ｓ８００で投入された金額と、算出した合計金額とを比較する（Ｓ８０３）。算出した合計金額の方が小さいとき（Ｓ８０３：ＮＯ）、ディスプレイ１０７に図９に示すような表示をさせ、ユーザが決定を押すと、選択された全ての画像の印刷命令をコピー機１０３へ送信し（Ｓ８０４）、印刷が行われる。選択されたデジタル画像の合計金額以上の硬貨がコインキット１０４に投入されている場合、印刷終了後返却する。
【００５３】
算出した合計金額の方が大きいとき（Ｓ８０３：ＹＥＳ）、図１０に示すような表示をディスプレイ１０７にさせ、ユーザがＯＫを選択すると、Ｓ８００で投入された金額で印刷可能な画像の印刷命令をコピー機１０３へ送信し（Ｓ８０５）、印刷が開始される。印刷が行われると、完了枚数に応じて所定のタイミングでコインキット１０４は所定量のコインを回収する。
【００５４】
印刷動作中、コインキット１０４への硬貨の投入が可能かどうかを検出し、可能であることを検出すると（Ｓ８０６：ＹＥＳ）、ディスプレイ１０７に図５に示すような表示をさせ、コインキット１０４へ投入可能な金額を要求し（Ｓ８０７）、代金が投入されたことを検出すると（Ｓ８０８）、投入された代金分のデジタル画像の印刷命令をコピー機１０３へ送信し（Ｓ８０９）、印刷が行われる。さらに、残りの印刷すべきデジタル画像があるかどうか確認し（Ｓ８１０）、ある場合（Ｓ８１０：ＹＥＳ）はＳ８０６の動作に戻り、残りの注文画像がなくなるまでＳ８０６からＳ８１０までの動作を繰り返す。そして、注文された全てのデジタル画像の出力命令が終了し、その後、印刷が終了する。この場合も、要求した金額以上の硬貨がコインキット１０４に投入されている場合、印刷終了後返却する。
【００５５】
コインキット１０４に一定量の硬貨が投入された場合に利用開始可能とする場合も、硬貨の回収中（コインチューブから金庫に誘導中）の新たに硬貨の投入によるエラーを避けるためには、制御部１０５の機能を一部変更する必要がある。図１１は、制御部１０５の機能を一部変更したたデジタル画像出力システム１００の動作を示すフローチャートであり、図６と同様、印刷動作中は、コインキット１０４へ硬貨の投入を禁止するようにしたものである。
【００５６】
図１１のフローにおいて、Ｓ１１００からＳ１１０５は、図８のＳ８００からＳ８０５と同様であるので、説明を省略する。Ｓ１１０５で印刷命令をコピー機１０３に送信し、印刷を開始した後、制御部１０５はコインキット１０４へ硬貨の投入を禁止させる命令を送信し（Ｓ１１０６）、コインキット１０４は硬貨の投入禁止状態となる。状態Ｓ１１００で投入された金額分の印刷が終了すると、コインキット１０４の硬貨の投入禁止状態を解除する命令を送信し（Ｓ１１０７）、コインキット１０４は硬貨の投入可能状態となる。
【００５７】
そして、残りの注文データの合計金額を算出し（Ｓ１１０８）、算出した合計金額がコインキット１０４への投入可能な上限を超えているとき（Ｓ１１０９：ＹＥＳ）は、図６のＳ６０７へ進み、図６で説明したような動作を行う。
【００５８】
算出した合計金額がコインキット１０４への投入可能な上限を超えていないとき（Ｓ１１０９：ＮＯ）、残りの注文されたデジタル画像の印刷代金を要求し（Ｓ１１１０）、要求した代金以上の投入がされたことを検出すると（Ｓ１１１１）、残りの注文データの印刷命令をコピー機１０３へ送信し（Ｓ１１１２）、印刷が行われる。要求した金額以上の硬貨がコインキット１０４に投入されている場合、印刷終了後返却する。
【００５９】
以上説明したように図１のシステムを利用すると、デジタル画像データに基づくプリント注文操作を先に行ってから代金を払うように構成する場合、その代金がコインキットが投入可能上限金額を超えていても、注文されたプリントを分割して印刷できる。このため、ユーザが注文操作を繰り返さなくても、硬貨を追加していくだけで所望のプリントを得ることができる。
【００６０】
また、ある程度の硬貨を先に投入してから注文を行うように構成する場合、先に投入した金額より多くの注文を行っても、先に投入した金額分のプリントと残りのプリントとを分割して得ることができる。このため、全ての注文画像の印刷に必要な代金を投入しなくでも、注文数を減らすことなく、プリント動作を開始させることができ、不足代金分の硬貨を追加していくだけで、所望のプリントを得ることができる。つまり、当初の予定よりも多くのプリントを注文した場合でも、一度の注文操作で済むという効果がある。
【００６１】
図１のシステムでは、メディアに記録された画像データ例えば撮影画像データに基づいて印刷する例を示したが、コピー機１０３などの印刷装置で印刷できるデータであって、メディアに記録できるものであれば文字データなどでもよい。
【００６２】
また、出力装置として、コピー機などの印刷装置の代わりに、デジタルデータの入力に利用したメディア又は他のメディアへの書込装置を設け、入力したデジタルデータを加工あるいは編集して、記憶するようにしてもよい。メディアへの書込装置を出力装置とする場合、入力するデジタルデータは、画像データ又は文字データだけでなく、音楽データでもよい。
【００６３】
なお、図１のシステムは、注文受付部１０１、コピー機１０３、及びコインキット１０４がそれぞれ独立した構成としているが、これに限られるものではない。例えば、注文受付部１０１、コピー機１０３、及びコインキット１０４を一体に構成してもよいし、コピー機１０３だけを別体に構成しても、コインキット１０４だけ別体に構成してもよい。コピー機１０３が別体に構成する場合、例えば、プリンタが店舗のレジカウンター内に設置し、印刷が終わると店員がユーザに、注文受付部２が発行する引き換え券などと引き換えに、画像を手渡しするようにする。
【００６４】
（実施形態２）
図１２は、本発明の実施形態２に係るデジタル画像出力システム１２００の概略構成を示す図である。このシステムも図１のシステムと同様、画像データに基づくプリント出力サービスを行うものであるが、ユーザが所持しているメディアからのデジタル画像データに基づく印刷を行うものではなく、制御部１２０２に、インターネットなどの通信回線１２０４を介して接続されたサーバ１２０３のダウンロードサイトなどからダウンロードされた画像データに基づく印刷を行うものである。図１２のシステムは、制御部１２０２が、インターネットなどの通信回線に接続可能であることを除くと図１のシステムと同様であるので、構成の説明は省略する。
【００６５】
次に、本実施形態のデジタル画像出力システム１２００の動作を、図１３のフローチャートを参照して説明する。操作ボタン部１０８で自分の欲しい複数の画像を選択、加工、又は編集操作を行うことにより、印刷すべきデジタル画像が決定される（Ｓ１３００）。この場合、印刷すべきデジタル画像は、インターネット１２０４を介してサーバ１２０３にアクセスし、所定のページの候補画像をディスプレイ１０７に表示させて選択する。制御部１０５は選択されたデジタル画像の印刷に必要な金額の合計を算出し（Ｓ１３０１）、コインキット１０４の受入れ可能な上限金額を検出する（Ｓ１３０２）。ここで、デジタル画像１枚分の印刷代金を３００円、前記上限金額を３２００円として話を進める。
【００６６】
算出した合計金額が、コインキット１０４の上限金額よりも少ない場合（Ｓ１３０３：ＮＯ）、ディスプレイ１０７に図３に示すような表示をさせ、ユーザに必要な金額の硬貨の投入を要求する（Ｓ１３０４）。その後、コインキット１０４に、要求した金額以上の硬貨が投入されたことを検出すると（Ｓ１３０５）、決定されたデジタル画像のダウンロードを開始し（Ｓ１３０６）、ダウンロード終了後、順次コピー機１０３で印刷が開始され、全てのデジタル画像の印刷が終了する。要求した金額以上の硬貨がコインキット１０４に投入されている場合、印刷終了後返却する。
【００６７】
算出した合計金額が、コインキット１０４の上限金額を超えている場合（Ｓ１３０３：ＹＥＳ）、ディスプレイ１０７に図４に示すような表示をさせ、前記上限金額（３２００円）内で印刷可能な画像の代金３０００円（３００円×１０枚）の硬貨の投入をユーザに要求する（Ｓ１３０７）。
【００６８】
コインキット１０４に３０００円以上の硬貨が投入されたことを検出すると（Ｓ１３０８）、３０００円分のデジタル画像のダウンロードを開始し（Ｓ１３０９）、ダウンロード後、順次コピー機１０３で印刷が開始される。ダウンロードが行われると、完了枚数に応じて所定のタイミングでコインキット１０４は所定量のコインを回収する。
【００６９】
ダウンロード又は印刷中、制御部１０５は、コインキット１０４に硬貨の投入が可能かどうかを確認し（Ｓ１３１０）、可能であることを検出すると（Ｓ１３１０：ＹＥＳ）、ディスプレイ１０７に図５に示すような表示をさせ、残りの金額の硬貨の投入を要求し（Ｓ１３１１）、少なくとも印刷１枚分の代金３００円がコインキット１０４に投入されると（Ｓ１３１２）、支払われた代金分のデジタル画像のダウンロードを開始し（Ｓ１３１３）、印刷が行われる。さらに、残りの印刷すべき画像があるかどうかを確認し、ある場合（Ｓ１３１４：ＹＥＳ）はＳ１３１０の動作へ戻り、残りの注文画像がなくなるまでＳ１３１０からＳ１３１４までの動作を繰り返す。そして、注文された全てのデジタル画像のダウンロードが終了し、その後、印刷が終了する。この場合も、要求した金額以上の硬貨がコインキット１０４に投入されている場合、印刷終了後返却する。
【００７０】
図１２のシステムにおいても、硬貨の回収中（コインチューブから金庫に誘導中）の新たに硬貨の投入によるエラーを避けるためには、制御部１２０２の機能を一部変更する必要がある。図１４は、制御部１０５の機能を一部変更したたデジタル画像出力システム１２００の動作を示すフローチャートであり、図６と同様、印刷動作中は、コインキット１０４へ硬貨の投入を禁止するようにしたものである。
【００７１】
図１４のフローにおいて、Ｓ１４００からＳ１４０９は、図１３のＳ１３００からＳ１２０９と同様であり、Ｓ１４１０からＳ１４１４は、図６のＳ６１０からＳ６１４と同様であるので、説明を省略する。図１４のＳ１４１５で残りのデジタル画像のダウンロードを開始し（Ｓ１４１５）、ダウンロード後、順次コピー機１０３で印刷が開始され、全ての印刷が終了する。要求した金額以上の硬貨がコインキット１０４に投入されている場合、印刷終了後返却する。
【００７２】
図１２のシステムも図１のシステムと同様、コインキット１０４に一定量の硬貨が投入された場合に利用開始可能としてもよい。その場合、硬貨の回収中（コインチューブから金庫に誘導中）の新たに硬貨の投入によるエラーを避けるために、制御部１２０２の機能を一部変更する必要がある点も同様である。
【００７３】
図１５はコインキット１０４に一定量の硬貨が投入された場合の動作を示すフローチャートであり、図１６は、制御部１２０２の機能を一部変更した場合の動作を示すフローチャートである。図１５及び図１６の各ステップは、図１３、図１４、図８、及び図１１の対応するステップと同様であるので、説明を省略する。
【００７４】
以上述べたように、図１２のシステムによれば、図１のシステムと同様の効果が得られる。また、サーバ１２０３からダウンロードする情報は、画像情報に限らず文字情報や音楽情報でもよく、出力装置としても印刷装置だけでなく、メディアへの書込装置が利用できる。音楽データをダウンロードする場合は、書込装置が必須である。
【００７５】
また、文字データの利用方法としては、例えば、コンサートのチケットを購入するときに、サーバ１２０３からチケットの記載事項の分割ダウンロードが考えられる。
【００７６】
また、サーバ１２０３からダウンロードした各種データを利用する場合、注文受付部１２０１の内部に予めあるいは過去にダウンロードした各種データを保存しておき、保存されたデータを出力させる構成としてもよい。
【００７７】
さらに、図１のシステムと同様、注文受付部１２０１、コピー機１０３、及びコインキット４を一体化するかどうかは任意である。
【００７８】
【発明の効果】
本発明によれば、金銭徴収装置の受入れ上限金額以上のサービスを、一度の注文で可能にするデジタルデータ出力システム、サービス方法、及びサービスシステム又はサービス方法を実現するためのプログラムを提供することができる。
【図面の簡単な説明】
【図１】  実施形態１に係るデジタル画像出力システムの概略構成を示す図
【図２】  実施形態１に係るデジタル画像出力システムの動作の一例を示すフローチャート
【図３】  ディスプレイの表示例
【図４】  ディスプレイの表示例
【図５】  ディスプレイの表示例
【図６】  実施形態１に係るデジタル画像出力システムの動作の一例を示すフローチャート
【図７】  ディスプレイの表示例
【図８】  実施形態１に係るデジタル画像出力システムの動作の一例を示すフローチャート
【図９】  ディスプレイの表示例
【図１０】  ディスプレイの表示例
【図１１】  実施形態１に係るデジタル画像出力システムの動作の一例を示すフローチャート
【図１２】  実施形態２に係るデジタル画像出力システムの概略構成を示す図
【図１３】  実施形態２に係るデジタル画像出力システムの動作の一例を示すフローチャート。
【図１４】  実施形態２に係るデジタル画像出力システムの動作の一例を示すフローチャート
【図１５】  実施形態２に係るデジタル画像出力システムの動作の一例を示すフローチャート
【図１６】  実施形態２に係るデジタル画像出力システムの動作の一例を示すフローチャート
【符号の説明】
１００、１２００・・・デジタル画像出力システム
１０１・・・注文受付部
１０３・・・コピー機
１０４・・・コインキット
１０５・・・制御部
１０６・・・メディア挿入部
１０７・・・ディスプレイ
１０８・・・操作ボタン部
１２０１・・・       注文受付部
１２０２・・・       制御部
１２０３・・・       サーバ
１２０４・・・       インターネット
【図１】
0004243049.tif 000002
【図２】
0004243049.tif 000003
【図３】
0004243049.tif 000004
【図４】
0004243049.tif 000005
【図５】
0004243049.tif 000006
【図６】
0004243049.tif 000007
【図７】
0004243049.tif 000008
【図８】
0004243049.tif 000009
【図９】
0004243049.tif 000010
【図１０】
0004243049.tif 000011
【図１１】
0004243049.tif 000012
【図１２】
0004243049.tif 000013
【図１３】
0004243049.tif 000014
【図１４】
0004243049.tif 000015
【図１５】
0004243049.tif 000016
【図１６】
0004243049.tif 000017